(57)【要約】【課題】防災用品等を収納できるとともに、これらの防災用品等を分散して収納でき、しかも、まとめて取り出し、容易に搬送できる防災袋を提供する。【解決手段】収容物１９１．１９２，１９３を収容する２以上の収納袋１８１，１８２，１８３と、これら収納袋を連結した連結紐体１８４，１８５，１８６とを備えて防災袋１８０を構成する。【選択図】図５
2009184741.tif 000002
【特許請求の範囲】
【請求項１】
収容物を収容する２以上の収納袋と、これら収納袋を連結した連結紐体とを備える、防災袋。
【請求項２】
網状材料から形成された収納袋を備える、請求項１に記載の防災袋。
【請求項３】
上記収納袋と上記連結紐体とがループを形成するように互いに連結されている、請求項１又は請求項２のいずれかに記載の防災袋。
【請求項４】
収納部位から収納袋を引き出すための引き出し部を備える、請求項１から請求項３のいずれか１項に記載の防災袋。
【請求項５】
網状材料から形成された上記収納袋に照明装置が収納されているとともに、収
【発明の詳細な説明】
【技術分野】
【０００１】
本願発明は、複数の非常用具を収納できるとともに、非常の際、収納場所からこれら非常用具を容易に取り出して持ち運ぶことができ、しかも、非常用具を収納したままで使用できるように構成した防災袋に関する。
【背景技術】
【０００２】
消火器や懐中電灯、携帯ラジオ等の防災用具は、玄関の棚等に収納されることが多い。しかしながら、マンション等の玄関は狭く、これら防災用具を収納するスペースを確保するのが困難である。上記問題を解消するため、壁埋め込みタイプの収納箱が提案されている。また、これらスペースに収納できるように、非常用品をまとめて収納する防災袋が提供されている。
【先行技術文献】
【特許文献】
【０００３】
【特許文献１】特開２００５−２９６５７９号公報
【０００４】
上記特許文献１に記載されている壁埋め込み型常設防災用品収納箱は、防災用品の常備収納手段として、間仕切壁面に埋め込み型収納箱を設置するものである。上記手法を採用することにより、壁を有効利用して防災用品を収納することができる。
【発明の概要】
【発明が解決しようとする課題】
【０００５】
上記特許文献１に記載されている壁埋め込み型収納箱は、壁面に、埋め込みタイプの棚を設置するものである。このため、収納した防災用品を容易に取り出すことができるものの、防災用品が常時目に触れることになり、見栄えが良いとはいえない。したがって、玄関等に設けるのは敬遠される。
【０００６】
防災用品等は、非常の際に一度に持ち出せるように準備しておくのが好ましい。このため、防災用品をまとめて収納する防災袋が採用されることが多い。ところが、複数の防災用品等を一つの防災袋に収納した場合、袋が大きくなる。したがって、上記収納箱等に上記防災袋を収容する大きな収納空間を確保する必要が生じる。ところが、上記のような壁面に設けた収納箱では上記防災袋を収納する一つの大きな収納空間を確保するのは困難である。したがって、上記従来の防災袋を、玄関等の取り出し易い場所に収納するのは非常に困難であった。
【０００７】
一方、複数の防災用品をばらばらに収納したのでは、非常の際にすべての防災用品を迅速に持ち出すことが困難になる。
【０００８】
本願発明は、上記従来の問題を解決し、防災用品等を分散して収納できるとともにまとめて取り出すことができ、しかも、容易に搬送できるばかりでなく、収納状態で使用することができる防災袋を提供するものである。
【課題を解決するための手段】
【０００９】
請求項１に記載した発明は、収容物を収容する２以上の収納袋と、これら収納袋を連結した連結紐体とを備えて構成される防災袋に関するものである。
【００１０】
本願発明に係る防災袋は、２以上の収納袋を備えるため、防災用品等を複数の収納袋に分けて収納することができる。このため、各収納袋を異なる収納空間に分散して収納することが可能となる。たとえば、段が異なる棚に各収納袋を分散して収納できる。これにより、まとまった大きな収納空間を確保する必要がなくなり、従来の棚等にも容易に収納することが可能となる。
【００１１】
一方、上記各収納袋は、連結紐体によって一体的に連結されている。このため、上記複数の収納袋を、まとめて取り出し、持ち運ぶことが可能となる。また、空きスペースを利用して、非常用品等を棚等の異なる部位に分散して収納できるとともに、一つの収納袋を取り出すことにより、他の収納袋をいもづる式に順次取り出すことができる。したがって、非常用品の取り出し忘れが生じることもない。
【００１２】
しかも、上記複数の収納袋は、上記連結紐体によって順次引き出されるように構成されているため、収納ボックス等の開口部が小さくても、円滑かつ迅速にすべての収納袋を取り出すことが可能となる。
【００１３】
上記連結紐体の構成も特に限定されることはない。収納ボックス等の開口部に近い部位に収納した収納袋から順次引き出せるように、連結されていればよい。
【００１４】
また、上記連結紐体の一部を上記収納ボックス等の正面開口部近傍に配置し、まずこの連結紐体の一部を握持して、複数の収納袋を順次引き出すように構成することができる。したがって、収納ボックスに非常用でないものが混在して収納されていても、防災袋を選択的にしかも効率よく取り出すことができる。また、一部の防災袋が収納ボックス等の開口部から見えない場合でも、迅速かつ確実に取り出すことができる。
【００１５】
請求項２に記載した発明は、上記防災袋を、網状材料から形成された収納袋を備えて構成したものである。
【００１６】
上記収納袋を網状材料で形成することにより、網目に手指を掛止して引き出したり、携帯することが可能になる。また、網状材料に収納した非常用品を、外側から一見して識別することが可能となる。さらに、懐中電灯や消火器やラジオ等を、収納袋に収納したままで使用することも可能になる。このため、収納ボックスから非常用品をまとめて迅速確実に取り出し、収納物を外部から容易に判別できるのみならず、収納袋から取り出すことなく使用することも可能となる。
【００１７】
なお、連結紐体で連結した収納袋のすべてを網状材料で形成することもできるし、一部の収納袋を網状材料で形成し、他の収納袋を通常の布等で形成することもできる。
【００１８】
請求項３に記載した発明は、上記収納袋と上記連結紐体とを、ループを形成するように互いに連結したものである。
【００１９】
上記構成を採用することにより、避難する際等に使用者の肩や胴体に掛止あるいは巻き付けて搬送することができる。また、使用者の手があくため、避難の際等における安全性を格段に向上させることができる。
【００２０】
請求項４に記載した発明は、上記収納袋を、収納部位から収納袋を引き出すための引き出し部を備えて構成したものである。
【００２１】
上記引き出し部の構成及び形態は特に限定されることはない。たとえば、連結紐体で連結された複数の収納袋の一つから延出する紐状の引き出し部を設けることができる。また、上記連結紐体の中間部から延出する引き出し部を設けることもできる。連結紐体の一部を、引き出し部として利用することもできる。
【００２２】
上記引き出し部を、上記収納ボックス本体の正面開口部近傍に配置し、まず、この引き出し部を握持して、複数の収納袋を順次引き出すように設定できる。これにより、すべての防災袋を円滑かつ迅速に取り出すことが可能となる。
【００２３】
また、棚等の奥方に防災袋が収納されて、他物によって隠れている場合でも、上記引き出し部を用いて防災袋を確実に取り出すことができる。
【００２４】
請求項５に記載した発明は、網状材料から形成された上記収納袋に照明装置が収納されているとともに、収納状態で網目を介して投光できるように構成されているものである。
【００２５】
上記網状材料の網目は、懐中電灯等の照明装置を保持できるとともに、照明装置からの光を外部に投光できる大きさに設定される。この構成を採用することにより、照明装置を他の防災用品と一体的に搬送することが可能となり、紛失する恐れもなくなる。また、連結紐体を利用して、防災袋を使用者の体に保持することが可能となるため、手で照明装置を持つ必要がなくなる。このため、避難の際の安全性も高まる。
【００２６】
請求項６に記載した発明は、網状材料から形成された上記収納袋に消火器が収納されているとともに、収納状態で網目を介して消火剤を散布できるように構成されているものである。
【００２７】
上記網目は、上記消火器を保持できるとともに、消火剤を外部に散布できる大きさに設定される。これにより、収納棚等から収納袋ごと取り出した消火器を、この収納袋から取り出す必要がなくなり、迅速な消火活動を行うことができる。
【発明の効果】
【００２８】
防災用品等を棚等に分散して収納できるとともにまとめて取り出すことができ、しかも、容易に搬送できるばかりでなく、収納状態で使用することができる。
【図面の簡単な説明】
【００２９】
【図１】本願発明に係る防災用品を収納する壁埋め込み収納ボックスの全体斜視図である。
【図２】図１に示す壁埋め込み収納ボックスの取付手順を示す分解斜視図である。
【図３】図１における III−III 線に沿う断面図であり、図１に示す壁埋め込み収納ボックスに収納した防災袋及びこれを取り出す態様を示す図である。
【図４】防災袋の第２の実施形態を示す図である。
【図５】防災袋の第３の実施形態を示す図である
【発明を実施するための形態】
【００３０】
以下、本願発明を図に基づいて具体的に説明する。
【００３１】
図１に、防災袋を収納するのに好適な壁埋め込み収納ボックス１０１の全体斜視図を、図２にこの壁埋め込み収納ボックス１０１の取付手順を示す分解斜視図を示す。
【００３２】
上記壁埋め込み収納ボックス１０１は、中空壁１０２の内部空間に少なくとも一部が埋め込まれて保持される収納ボックス本体１０４と、上記収納ボックス本体１０４の正面開口部１０８を着脱可能に覆う蓋体１０６と、上記収納ボックス本体１０４の左右側壁部から上記中空壁１０２の内部空間に延出して設けられる拡張ボックス１５８，１５９とを備える。
【００３３】
上記収納ボックス本体１０４は、上記正面開口部１０８を有する矩形箱状に形成されているとともに、上記正面開口部１０８の周囲に鍔部１０５が形成されている。上記収納ボックス本体１０４は、上記中空壁１０２に設けた壁面開口部１０３に嵌め込まれ、上記鍔部１０５を上記壁面開口部１０３の表面側縁部に添着した状態で取り付けられる。上記収納ボックス本体１０４は、上記鍔部１０５を上記中空壁表面の壁面開口縁部にネジ止めし、あるいは、収納ボックス本体１０４の背面を中空壁の奥面等にネジ止め等することにより固定される。
【００３４】
上記拡張ボックス１５８，１５９は、上記収納ボックス本体１０４の内部空間に開口する収容空間１５８ｂ，１５９ｂを備える矩形箱状に形成されている。上記収容空間１５８ｂ，１５９ｂの開口縁部には、上記収納ボックス本体に止着される鍔部１６１，１６２が形成されており、上記収納ボックス本体１０４の左右壁部に設けた取付開口部１５５，１５６から、中空壁１０２の内部空間に延出させて取り付けられる。
【００３５】
上記拡張ボックス１５８．１５９の正面開口部側の側壁部１５８ａ，１５９ａは、これが取付られた収納ボックス本体１０４の側壁部に近づくに従って上記正面開口部１０８に近接するテーパ状に形成されている。これにより、上記収納ボックス本体１０４と上記拡張ボックス１５８，１５９の連結角部の角度が緩和され、上記拡張ボックス１５８，１５９内に収納した収納品を、上記正面開口部１０８から円滑に取り出すことができる。
【００３６】
上記拡張ボックス１５８．１５９は、図２に示すように、上記正面開口部１０８から収納ボックス本体１０４の内部空間へ挿入することができる形態に形成されているとともに、上記取付開口部１５５，１５６から中空壁１０２の内部空間へ延出させられる。その後、上記鍔部１６１，１６２を上記収納ボックス本体１０４の上記取付開口部１５５，１５６の縁部にねじ等を用いて固定される。
【００３７】
上記収納ボックス本体１０４の鍔部１０８の上部には、上記蓋体１０６を掛止できるフック２１１が設けられている。上記蓋体１０６は、上記フック２１１を介して上記正面開口部１０８及び上記鍔部１０５を覆うようにして着脱可能に装着される。上記蓋体１０６の表面には、絵柄等の装飾模様１０７を設けたり、写真等の装飾品を保持できるように構成することができる。これにより、収納ボックスの正面開口部１０８を塞いで収納物を見えなくするとともに、デザイン性を向上させることが可能となる。
【００３８】
図３は、上記壁埋め込み収納ボックス１０１に、非常用品等を収容した防災袋１７０を収納した状態を示す断面図である。
【００３９】
本実施形態に係る防災袋１７０は、２つの収納袋１７１，１７２を、連結紐体１７３を用いて連結するとともに、取り出し用の引き出し部１７４を設けて構成される。
【００４０】
上記防災袋１７０は、一方の収納袋１７１が図３の右側の拡張ボックス１５８内に収納される一方、他方の収納袋１７２が左側の拡張ボックス１５９に収納される。また、上記引き出し部１７４は、正面開口部１０８の近傍に配置される。これにより、複数の非常用品等を上記収納ボックス本体１０４や拡張ボックス１５８，１５９に分散して収納することが可能となる。
【００４１】
上記連結紐体１７３及び上記引き出し部１７４は、上記引き出し部１７４を正面開口部１０８から引き出すと、上記収納袋１７２及び上記収納袋１７１が上記収納ボックスの正面開口部から順次引き出されるように構成されている。したがって、２つの収納袋１７１，１７２が、上記正面開口部１０８から引き出される際に干渉することはなく、非常時等にこれら２つの収納袋を、円滑かつ迅速に取り出すことが可能となる。
【００４２】
図４及び図５に、収納袋の他の実施形態を示す。
【００４３】
防災袋１８０は、網状材料から形成された３つの収納袋１８１，１８２，１８３を、連結紐体１８４，１８５で一体的に連結した構造を備える。
【００４４】
上記収納袋１８３は、他の収納袋１８１，１８２より大きく設定されているとともに、この大きな収納袋１８３を収納ボックス本体１０４内に収納するとともに、他の収納袋１８１，１８２は、左右の拡張ボックス１５８，１５９内に収納される。
【００４５】
本実施形態に係る上記防災袋１８０は網状材料から形成されているため、図３に示す実施形態の引き出し部を設けることなく、収納袋１８３の網目に直接手指を掛止して容易に引き出すことができる。
【００４６】
また、上記連結紐体１８４，１８５を用いて３つの収納袋を連結することにより、各収納袋を上記収納ボックス内に分散配置できるとともに、順次引き出すことができる。したがって、正面開口部１０８を通過する際に干渉することなく、複数の収納袋を円滑かつ迅速に引き出すことができる。
【００４７】
さらに、収納袋１８１，１８２，１８３を網状材料で形成することにより、収容した非常用品、たとえば、懐中電灯１９２や消火器１９１を収納袋の外側から容易に識別することができる。
【００４８】
しかも、網目を所定の大きさに設定することにより、上記消火器１９１や上記懐中電灯１９２を、収納袋１８１，１８２に収納したままで使用することも可能となる。このため、非常の際に、これらの非常用品を迅速かつ確実に使用することも可能となる。
【００４９】
さらに、本実施形態では、図５に示すように、収納袋１８１と収納袋１８３を連結する連結紐体１８６を設けている。上記連結紐体１８６を設けることにより、３つの収納袋１８３，１８２，１８１が、ループ状に連結される。このため、上記連結紐体１８６を使用者の肩等に掛止して持ち運ぶことが可能となる。これにより、使用者の手があき、避難の際等における安全性を格段に向上させることができる。
【００５０】
本願発明は、埋め込み収納ボックスに防災袋を収納するように構成したが、収納場所は特に限定されることはない。
【００５１】
また、本実施例では、防災用品等を収納するための防災袋に本願発明を適用したが、他の物品を収納する袋に本願発明を適用することもできる。
【産業上の利用可能性】
【００５２】
防災用品等を分散して収納できるとともにまとめて取り出すことができ、しかも、容易に搬送できるばかりでなく、収納状態で使用することができる。
【符号の説明】
【００５３】
１８０  防災袋
１８１  収納袋
１８３  収納袋
１８４  連結紐体
１８５  連結紐体
１８６  連結紐体
【図１】
2009184741.tif 000003
【図２】
2009184741.tif 000004
【図３】
2009184741.tif 000005
【図４】
2009184741.tif 000006
【図５】
2009184741.tif 000007